(57)【要約】【課題】  海水ポンプの軸封部に海水を供給する軸潤滑水供給ラインの軸潤滑水供給枝管に設けられた流量調節バルブ、流量計等に異物が詰まるのを防止する。【解決手段】  海水ポンプにより冷却対象に海水を供給する海水供給ラインから分岐され、この海水供給ラインから海水の一部を取り出して、海水ポンプの軸封部に供給する軸潤滑水供給ライン３０であって、軸潤滑水供給ライン３０は、海水供給ラインの海水供給本管に接続される軸潤滑水供給本管３１と、この軸潤滑水供給本管３１から分岐されて海水ポンプ３〜６の軸封部９に接続される軸潤滑水供給枝管３２〜３５とを備え、軸潤滑水供給本管３１の末端に、海水供給本管から軸潤滑水本管３１に流入した異物を捕捉して除去する異物除去ライン４５を設ける。【選択図】        図２
2013024119.tif 000002
【特許請求の範囲】
【請求項１】
海水ポンプにより冷却対象に海水を供給する海水供給ラインから分岐され、該海水供給ラインから海水の一部を取り出して、前記海水ポンプの軸封部に供給する軸潤滑水供給ラインであって、
前記軸潤滑水供給ラインは、海水供給ラインの海水供給本管に接続される軸潤滑水供給本管と、該軸潤滑水供給本管から分岐されて前記海水ポンプの軸封部に接続される軸潤滑水供給枝管とを備え、
前記軸潤滑水供給本管の末端に、前記海水供給本管から前記軸潤滑水本管に流入した異物を捕捉して除去する異物除去ラインを設けたことを特徴とする軸潤滑水供給ライン。
【請求項２】
前記異物除去ラインは、前記軸潤滑水供給本管に接続される異物除去本管と、該異物除去本管と前記軸潤滑水供給本管との間を開閉する開閉バルブとを備えていることを特徴とする請求項１に記載の軸潤滑水供給ライン。
【請求項３】
前記異物除去本管の前記開閉バルブの下流側には、流量調節バルブと流量計とが設けられていることを特徴とする請求項２に記載の軸潤滑水供給ライン。
【請求項４】
前記海水ポンプは、ＬＮＧ気化器海水ポンプであり、前記冷却対象は、ＬＮＧ気化器であることを特徴とする請求項１〜３の何れか１項に記載の軸潤滑水供給ライン。
【請求項５】
海水ポンプにより冷却対象に海水を供給する海水供給ラインから分岐されて、該海水供給ラインから海水の一部を取り出して、前記海水ポンプの軸封部に供給する軸潤滑水供給ラインから異物を除去する異物除去方法であって、
前記軸潤滑水供給ラインは、前記海水供給ラインの海水供給本管に接続される軸潤滑水供給本管と、該軸潤滑水供給本管から分岐されて前記海水ポンプの軸封部に接続される軸潤滑水供給枝管とを備え、
前記軸潤滑水供給本管の末端に異物除去ラインを設け、前記海水供給本管から前記軸潤滑水供給本管に流入した異物を、該軸潤滑水供給本管から前記異物除去ラインに導き、該異物除去ラインの各部に付着されて捕捉することを特徴とする異物除去方法。
【発明の詳細な説明】
【技術分野】
【０００１】
本発明は、軸潤滑水供給ライン及び異物除去方法に関し、特に、ＬＮＧ気化器海水ポンプの軸封部に海水を供給する軸潤滑水供給ラインから貝類等の異物を除去するのに有効な軸潤滑水供給ライン及び異物除去方法に関する。
【背景技術】
【０００２】
ＬＮＧ（液化天然ガス）を燃料とするコンバインドサイクル発電プラント等の火力発電プラントにおいては、ボイラに供給する燃料ガス（天然ガス）を発生させるために、複数台のＬＮＧ気化器海水ポンプによって取水槽から海水を吸い上げ、この海水を海水供給ラインのＬＮＧ気化器海水ストレーナを介してＬＮＧ気化器に気化熱源として供給し、ＬＮＧ気化器の伝熱管の内部を流れるＬＮＧ（液化天然ガス）との間で熱交換することにより、ＬＮＧ（液化天然ガス）をガス化（気化）している。
【０００３】
このようなＬＮＧ気化器に海水を供給する海水供給ラインに用いられるＬＮＧ気化器海水ポンプは、軸封部に冷却が必要なカットレス軸受を用いているため、海水供給ラインの途中（ＬＮＧ気化器海水ストレーナの下流側）から分岐させた軸潤滑水供給ラインを設け、この軸潤滑水供給ラインの途中に設けた軸潤滑水ストレーナを介して、海水供給ラインから海水の一部を各ＬＮＧ気化器海水ポンプの軸封部に供給している。
【０００４】
また、海水供給ラインからの海水の流量が不足する場合に備えて、軸潤滑水供給ラインと別系統の工業用水供給ラインを設け、海水供給ラインからの海水の流量が不足する場合に、この工業用水供給ラインから各ＬＮＧ気化器海水ポンプの軸封部に工業用水を補給している。
【０００５】
ところで、上記のような構成のＬＮＧ気化器海水ポンプの軸封部に海水を供給する軸潤滑水供給ラインにあっては、取水槽からＬＮＧ気化器海水ポンプで吸い上げた海水を、海水供給ラインの途中に設けたＬＮＧ気化器海水ストレーナ、及び軸潤滑水供給ラインの途中に設けた軸潤滑水ストレーナを通すことにより、海水中に含まれる貝類等の異物を除去しているが、それだけでは十分ではなく、ＬＮＧ気化器海水ストレーナ及び軸潤滑水ストレーナを通過した貝類等の異物が各ＬＮＧ気化器海水ポンプの軸封部側に流入し、この流入した貝類等の異物が各ＬＮＧ気化器海水ポンプの軸封部への海水の流量を計測する流量計、海水の流量を調節する流量調節弁等に詰まってしまう。このため、軸潤滑水供給ラインからの海水の流量、工業用水供給ラインからの工業用水の流量を正確に確認することができなくなるため、各ＬＮＧ気化器海水ポンプを停止させて、流量調節弁、流量計等の詰まりが生じた部分を清掃し、貝類等の異物を除去する作業が必要になり、その作業に非常に手間がかかる。
【０００６】
上記のような問題に対処するため、特許文献１には、海水循環用ポンプの軸潤滑水ライン中に、海水中の貝の付着期幼生を除去するためのフィルターを設け、また、フィルターのスリット幅を５００μｍ以下とし、さらに、潤滑水ラインの流速を２ｍ／ｓ以上に維持するための昇圧ポンプを設けることにより、海水循環用ポンプの軸潤滑水ラインに対する貝の付着を防止するように構成した技術が開示されている。
【０００７】
また、特許文献２には、軸冷ポンプへの海水供給管に逆Ｕ字管で構成された注入管を設け、注入管の下部出口側に散気管を設け、二酸化炭素ボンベから二酸化炭素ガスを散気管を通じて注入管内へ注入し、海水のｐＨを所定値に設定することにより、海生物が軸冷海水供給管や軸冷ポンプに付着し、殻に成長するのを防止するように構成した技術が開示されている。
【先行技術文献】
【特許文献】
【０００８】
【特許文献１】特開平９−９４４１４号公報
【特許文献２】特開平１１−３１９８５３号公報
【発明の概要】
【発明が解決しようとする課題】
【０００９】
しかし、特許文献１、２に開示されている技術を海水供給ラインから海水の一部をＬＮＧ気化器海水ポンプに供給する軸潤滑水供給ラインに適用しても、ＬＮＧ気化器海水ポンプへ供給する海水の流量を計測する流量計、流量を調節する流量調節弁等に貝類等の異物が詰まるのを完全に防止することができない。
【００１０】
本発明は、上記のような従来の問題に鑑みなされたものであって、海水ポンプへ海水を供給する軸潤滑水供給ラインの流量計、流量調節弁等に貝類等の異物が詰まるのを完全に防止することができる軸潤滑水供給ライン及び異物除去方法を提供することを目的とする。
【課題を解決するための手段】
【００１１】
上記のような課題を解決するために、本発明は、以下のような手段を採用している。
すなわち、本発明は、海水ポンプにより冷却対象に海水を供給する海水供給ラインから分岐され、該海水供給ラインから海水の一部を取り出して、前記海水ポンプの軸封部に供給する軸潤滑水供給ラインであって、前記軸潤滑水供給ラインは、海水供給ラインの海水供給本管に接続される軸潤滑水供給本管と、該軸潤滑水供給本管から分岐されて前記海水ポンプの軸封部に接続される軸潤滑水供給枝管とを備え、前記軸潤滑水供給本管の末端に、前記海水供給本管から前記軸潤滑水本管に流入した異物を捕捉して除去する異物除去ラインを設けたことを特徴とする。
【００１２】
本発明の軸潤滑水供給ラインによれば、海水供給本管から軸潤滑水供給本管に流入した異物は、慣性の法則によって軸潤滑水供給本管から異物除去ラインに導かれ、異物除去ラインで捕捉されることになる。従って、軸潤滑水供給本管に流入した異物が軸潤滑水供給枝管に流入するようなことはなく、異物が軸潤滑水供給枝管の流量調節弁、流量計等に付着して詰まりが生じるようなことはなく、海水ポンプを停止させることなく、異物除去ラインから異物を除去することができる。
【００１３】
また、本発明において、前記異物除去ラインは、前記軸潤滑水供給本管に接続される異物除去本管と、該異物除去本管と前記軸潤滑水本管との間を開閉する開閉バルブとを備えていることとしてもよい。
【００１４】
本発明の軸潤滑水供給ラインによれば、異物除去本管と軸潤滑水本管との間の開閉バルブを開いた状態として、軸潤滑水供給本管からの海水を異物除去本管に導き、異物除本管の末端からダミー水として排出させることにより、軸潤滑水供給本管から異物を異物除去本管に導き、異物除去本管の各部に付着させて捕捉することができる。
また、異物除去本管の各部に付着させて捕捉した異物を除去する場合には、開閉バルブを閉じた状態とすることにより、海水ポンプを停止させることなく、異物除去ラインで捕捉した異物を除去することができる。
【００１５】
さらに、本発明において、前記異物除去本管の前記開閉バルブの下流側には、流量調節バルブと流量計とが設けられていることとしてもよい。
【００１６】
本発明の軸潤滑水供給ラインによれば、軸潤滑水供給本管から開閉バルブを介して異物除去本管に流入した異物は、流量調節バルブ、流量計等の各部に付着して捕捉されることになるので、開閉バルブを閉じた状態とすることにより、海水ポンプを停止させることなく、流量調節バルブ、流量計等に付着した異物を清掃して除去することができる。
【００１７】
さらに、本発明において、前記海水ポンプは、ＬＮＧ気化器海水ポンプであり、前記冷却対象は、ＬＮＧ気化器であることを特徴とする。
【００１８】
本発明の軸潤滑水供給ラインによれば、ＬＮＧ気化器に海水を供給する海水供給ラインから分岐された軸潤滑水供給ラインに流入した異物は、慣性の法則により、軸潤滑水供給ラインの軸潤滑水供給本管を介して異物除去ラインに導かれ、異物除去ラインで捕捉された除去されることになる。
【００１９】
さらに、本発明は、海水ポンプにより冷却対象に海水を供給する海水供給ラインから分岐されて、該海水供給ラインから海水の一部を取り出して、前記海水ポンプの軸封部に供給する軸潤滑水供給ラインから異物を除去する異物除去方法であって、前記軸潤滑水供給ラインは、前記海水供給ラインの海水供給本管に接続される軸潤滑水供給本管と、該軸潤滑水供給本管から分岐されて前記海水ポンプの軸封部に接続される軸潤滑水供給枝管とを備え、前記軸潤滑水供給本管の末端に異物除去ラインを設け、前記海水供給本管から前記軸潤滑水供給本管に流入した異物を、該軸潤滑水供給本管から前記異物除去ラインに導き、該異物除去ラインの各部に付着されて捕捉することを特徴とする。
【発明の効果】
【００２０】
以上、説明したように、本発明の軸潤滑水供給ライン及び異物除去方法によれば、海水供給ラインから軸潤滑水供給ラインに流入した異物を異物除去ラインに導いて捕捉することができるので、海水ポンプを停止させることなく、異物除去ラインから捕捉した異物を除去することができる。
【図面の簡単な説明】
【００２１】
【図１】本発明による軸潤滑供給ラインの一実施の形態の系統図である。
【図２】図１のＡ部の拡大図である。
【発明を実施するための形態】
【００２２】
以下、図面を参照しながら本発明の実施の形態について説明する。
図１及び図２には、本発明による軸潤滑水供給ライン及び異物除去方法の一実施の形態が示されている。本実施の形態の軸潤滑水供給ライン３０及び異物除去方法は、例えば、ＬＮＧ（液化天然ガス）を燃料とするコンバインドサイクル発電プラント等の火力発電プラントに適用可能なものであって、火力発電プラントのＬＮＧ気化器海水ポンプ３〜７の軸封部９を冷却する海水２から貝類等の異物を除去するのを有効なものである。
【００２３】
火力発電プラントは、例えば、図１に示すように、取水槽１から海水２をＬＮＧ気化器海水ポンプ３〜７で吸い上げ、この海水２を気化熱源としてＬＮＧ気化器１０、１１に供給する海水供給ライン１６と、海水供給ライン１６から海水２の一部を取り出し、この海水２を軸潤滑水としてＬＮＧ気化器海水ポンプ３〜６の軸封部９に供給する本実施の形態の軸潤滑水供給ライン３０と、海水供給ライン１６から軸潤滑水ライン３０への海水２の流量が不足する場合に、工業用水をＬＮＧ気化器海水ポンプ３〜６の軸封部９に補給する工業用水供給ラインとを３７備えている。
【００２４】
取水槽１には、５台のＬＮＧ気化器海水ポンプ（第１〜第５のＬＮＧ気化器海水ポンプ３〜７）が設置され、この５台のＬＮＧ気化器海水ポンプ（第１〜第５のＬＮＧ気化器海水ポンプ３〜７）が海水供給ライン１６を介して２台のＬＮＧ気化器（第１、第２のＬＮＧ気化器１０、１１）に接続されている。
【００２５】
５台のＬＮＧ気化器海水ポンプ（第１〜第５のＬＮＧ気化器海水ポンプ３〜７）のうち、４台のＬＮＧ気化器海水ポンプ（第１〜第４のＬＮＧ気化器海水ポンプ３〜６）には、軸封部９に冷却が必要なカットレス軸受が用いられ、残りの１台のＬＮＧ気化器海水ポンプ（第５のＬＮＧ気化器海水ポンプ７）には、軸封部９に冷却が不要な軸受が用いられている。
【００２６】
海水供給ライン１６は、第１のＬＮＧ気化器１０に接続される第１の海水供給本管１７と、第２のＬＮＧ気化器１１に接続される第２の海水供給本管１８と、各ＬＮＧ気化器海水ポンプ３〜７の吐出口８と第１の海水供給本管１７との間をそれぞれ接続する第１〜第５の海水供給枝管１９〜２３と、各海水供給枝管１９〜２３と第２の海水供給本管１８との間を接続する第１〜第５の海水供給分岐管２４〜２８とを備えている。
【００２７】
第１の海水供給本管１７、及び第２の海水供給本管１８の途中には、ＬＮＧ気化器海水ストレーナ（第１、第２のＬＮＧ気化器海水ストレーナ１２、１３）がそれぞれ設けられ、各ＬＮＧ気化器海水ポンプ（第１〜第５のＬＮＧ気化器海水ポンプ３〜７）で取水槽１から吸い上げ、第１の海水供給本管１７、及び第２の海水供給本管１８に導いた海水２を、これらのＬＮＧ気化器海水ストレーナ（第１、第２のＬＮＧ気化器海水ストレーナ１２、１３）を通すことにより、海水２に含まれる貝類等の異物の一部が捕捉される。
【００２８】
各海水供給枝管（第１〜第５の海水供給枝管１９〜２３）の上流側（各ＬＮＧ気化器海水ポンプ３〜７の吐出口８側）には、それぞれ各海水供給枝管（第１〜第５の海水供給枝管１９〜２３）を開閉する開閉バルブ（第１〜第５の開閉バルブＡＶ１〜ＡＶ５）がそれぞれ設けられている。
【００２９】
各海水供給枝管（第１〜第５の海水供給枝管１９〜２３）の下流側には、各海水供給枝管（第１〜第５の海水供給枝管１９〜２３）を流れる海水の流量を調節する流量調節バルブ（第１〜第５の流量調節バルブＶ１〜Ｖ５）がそれぞれ設けられている。
【００３０】
各海水供給分岐管（第１〜第５の海水供給分岐管２４〜２８）には、各海水供給分岐管（第１〜第５の海水供給分岐管２４〜２８）を流れる海水２の流量を調節する流量調節バルブ（第６〜第１０の流量調節バルブＶ６〜Ｖ１０）がそれぞれ設けられている。
【００３１】
第１の海水供給本管１７の第１のＬＮＧ気化器海水ストレーナ１２の上流側及び下流側には、第１の海水供給本管１７を流れる海水２の流量を調節する流量調節バルブ（第１１、第１２の流量調節バルブＶ１１、Ｖ１２）がそれぞれ設けられている。
【００３２】
第２の海水供給本管１８の第２のＬＮＧ気化器海水ストレーナ１３の上流及び下流側には、第２の海水供給本管１８を流れる海水２の流量を調節する流量調節バルブ（第１３、第１４の流量調節バルブＶ１３、Ｖ１４）がそれぞれ設けられている。
【００３３】
軸潤滑水供給ライン３０は、第１の海水供給本管１７の第１のＬＮＧ気化器海水ストレーナ１２と第１２流量調節バルブＶ１２との間、及び第２の海水供給本管１８の第２のＬＮＧ気化器海水ストレーナ１３と第１４の流量調節弁Ｖ１４との間から分岐され軸潤滑水供給本管３１と、軸潤滑水供給本管３１から分岐されて、各ＬＮＧ気化器海水ポンプ（第１〜第４のＬＮＧ気化器海水ポンプ３〜６）の軸封部９にそれぞれ接続される軸潤滑水供給枝管（第１〜第４の軸潤滑水供給枝管３２〜３５）とを備えている。
【００３４】
軸潤滑水供給本管３１の第１の海水供給本管１７との接続部、及び第２の海水供給本管１８との接続部には、第１の海水供給本管１７及び第２の海水供給本管１８から軸潤滑水供給本管３１への海水２の流量を調節する流量調節バルブ（第１５、第１６の流量調節バルブＶ１５、Ｖ１６）がそれぞれ設けられている。
【００３５】
軸潤滑水供給本管３１は、第１５、第１６の流量調節バルブＶ１５、Ｖ１６の下流側の部分で二つに分岐されており、各分岐部分に軸潤滑水ストレーナ（第１、第２の軸潤滑水ストレーナ１４、１５）がそれぞれ設けられている。各分岐部分の各軸潤滑水ストレーナ（第１、第２の軸潤滑水ストレーナ１４、１５）の上流側及び下流側の部分には、そこを流れる海水２の流量を調整する流量調節バルブ（第１７〜第２０の流量調節バルブＶ１７〜Ｖ２０）がそれぞれ設けられている。
【００３６】
各軸潤滑水供給枝管（第１〜第４の軸潤滑水供給枝管３２〜３５）には、流量調節バルブ（第２１〜第２４の流量調節バルブＶ２１〜Ｖ２４）と流量計（第１〜第４の流量計ＦＸ１〜ＦＸ４）とがそれぞれ設けられ、軸潤滑水供給本管３１から各軸潤滑水供給枝管（第１〜第４の軸潤滑水供給枝管３２〜３５）に供給された海水２がこれらの流量調節バルブ（第２１〜第２４の流量調節バルブＶ２１〜Ｖ２４）及び流量計（第１〜第４の流量計ＦＸ１〜ＦＸ４）を介して各ＬＮＧ気化器海水ポンプ（第１〜第４のＬＮＧ気化器海水ポンプ３〜６）の軸封部９に供給される。
【００３７】
工業用水供給ライン３７は、工業用水供給源３６に接続される工業用水供給本管３８と、工業用水供給本管３８から分岐されて、各軸潤滑水供給枝管（第１〜第４の軸潤滑水供給枝管３２〜３５）の流量調節バルブ（第２１〜第２４の流量調節バルブＶ２１〜Ｖ２４）と流量計（第１〜第４の流量計ＦＸ１〜ＦＸ４）との間にそれぞれ接続される工業用水供給枝管（第１〜第４の工業用水供給枝管３９〜４２）とを備えている。
【００３８】
各工業用水供給枝管（第１〜第４の工業用水供給枝管３９〜４２）の上流側の部分には、各工業用水供給枝管（第１〜第４の工業用水供給枝管３９〜４２）を流れる工業用水の流量を調節する流量調節バルブ（第２５〜第２８の流量調節バルブＶ２５〜Ｖ２８）がそれぞれ設けられている。
【００３９】
各工業用水供給枝管（第１〜第４の工業用水供給枝管３９〜４２）の中間部には、各工業用水供給枝管（第１〜第４の工業用水供給枝管３９〜４２）を開閉させる開閉バルブ（第６〜第９の開閉バルブＡＶ６〜ＡＶ９）がそれぞれ設けられている。
【００４０】
上記のような構成の海水供給ライン１６を備えた各ＬＮＧ気化器海水ポンプ（第１〜第５のＬＮＧ気化器海水ポンプ３〜７）を作動させることにより、取水槽１から海水２が吸い上げられ、各ＬＮＧ気化器海水ポンプ（第１〜第５のＬＮＧ気化器海水ポンプ３〜７）の吐出口８から各海水供給枝管（第１〜第５の海水供給枝管１９〜２３）に吐出され、各海水供給枝管（第１〜第５の海水供給枝管１９〜２３）から第１の海水供給本管１７に導かれ、又は各海水供給枝管（第１〜第５の海水供給枝管１９〜２３）から各海水供給分岐管（第１〜第５の海水供給分岐管２４〜２８）を経由して第２の海水供給本管１８に導かれ、第１の海水供給本管１７及び第２の海水供給本管１８を介して各ＬＮＧ気化器（第１、第２のＬＮＧ気化器１０、１１）に供給される。
【００４１】
また、第１海水供給本管１７及び第２の海水供給本管１８に供給された海水２の一部は、第１の海水供給本管１７及び第２の海水供給本管１８から、軸潤滑水供給ライン３０の軸潤滑水供給本管３１に導かれ、軸潤滑水供給本管３１から各軸潤滑水供給枝管（第１〜第４の軸潤滑水供給枝管３２〜３５）に導かれ、各軸潤滑水供給枝管（第１〜第４の軸潤滑水供給枝管３２〜３５）を介して各ＬＮＧ気化器海水ポンプ（第１〜第４のＬＮＧ気化器海水ポンプ３〜６）の軸封部９に供給される。
【００４２】
さらに、海水供給ライン１６から軸潤滑水供給ライン３０へ供給する海水２の流量が不足する場合には、工業用水供給ライン３７の工業用水供給源３６から工業用水供給本管３８に工業用水が供給され、この工業用水が工業用水供給本管３８から各工業用水供給枝管（第１〜第４の工業用水供給枝管３９〜４２）に導かれ、各工業用水供給枝管（第１〜第４の工業用水供給枝管３９〜４２）から各軸潤滑水供給枝管（第１〜第４の軸潤滑水供給枝管３２〜３５）に導かれ、各軸潤滑水供給枝管（第１〜第４の軸潤滑水供給枝管３２亜〜３５）から各ＬＮＧ気化器海水ポンプ（第１〜第４のＬＮＧ気化器海水ポンプ３〜６）の軸封部９に供給される。
【００４３】
本実施の形態においては、図２に示すように、軸潤滑水供給ライン３０の軸潤滑水供給本管３１の末端側に異物除去ライン４５を接続し、この異物除去ライン４５により、各軸潤滑水ストレーナ（第１、第２の軸潤滑水ストレーナ１４、１５）を通過して、軸潤滑水供給本管３１内に流入した貝類等の異物を捕捉して除去し、貝類等の異物が軸潤滑水供給本管３１から各軸潤滑水供給枝管（第１〜第４の軸潤滑水供給枝管３２〜３５）内に流入するのを防止している。
【００４４】
異物除去ライン４５は、軸潤滑水供給本管３１の末端に異物除去本管４６を接続するとともに、この異物除去本管４６の上流側に異物除去本管４６を開閉する異物清掃バルブＶ３０を設け、異物清掃バルブＶ３０よりも下流側に流量調節バルブＶ３１を設け、流量調節バルブＶ３１よりも下流側に流量計ＦＸ５を設けて構成したものである。
【００４５】
異物除去ライン４５の異物清掃バルブＶ３０を開いた状態として、軸潤滑水供給本管３１を流れる海水２を異物除去本管４６に導き、この海水２を異物除去本管４６の末端からダミー水として排出させることにより、各軸潤滑水ストレーナ１４、１５を通過して軸潤滑水供給本管３１内に流入した貝類等の異物を異物除去本管４６に導き、異物除去ライン４５の流量調節バルブＶ３１、流量計ＦＸ５等に付着させて捕捉することができる。
【００４６】
上記のように構成した本実施の形態の軸潤滑水供給ライン３０及び異物除去方法にあっては、軸潤滑水供給ライン３０の軸潤滑水供給本管３１の末端に異物除去ライン４５を設け、この異物除去ライン４５の異物清掃バルブＶ３０を開いた状態とすることにより、軸潤滑水供給本管３１から慣性の法則によって海水２を異物除去本管４６に導いて、異物除去本管４６の末端からダミー水として流出させることができる。
【００４７】
従って、軸潤滑水ストレーナ１４、１５を通過して軸潤滑水供給本管３１に流入した貝類等の異物を、軸潤滑水供給本管３１から異物除去本管４６に導いて、異物除去ライン４５の流量調節バルブＶ３１、流量計ＦＸ５等に付着させて捕捉することができるので、軸潤滑水供給本管３１に流入した貝類等の異物が各軸潤滑水分岐管（第１〜第４の軸潤滑水供給岐管３２〜３５）に流入するようなことはない。
【００４８】
この結果、異物除去ライン４５から貝類等の異物を除去する場合には、異物清掃バルブＶ３０を閉じた状態とすることにより、各ＬＮＧ気化器海水ポンプ（第１〜第４のＬＮＧ気化器海水ポンプ３〜６）を停止させることなく、異物除去ライン４５の流量調節バルブＶ３１、流量計ＦＸ５等に付着させた捕捉した貝類等の異物を除去することができることになる。
【００４９】
なお、前記の説明においては、本発明による軸潤滑水供給ライン及び異物除去方法を、ＬＮＧ気化器海水ポンプによって海水をＬＮＧ気化器に海水を供給する海水供給ラインから分岐させた軸潤滑水供給ラインに適用したが、火力発電プラントの他の設備や原子力発電プラント等の他の設備等の軸潤滑水供給ラインに本発明を適用してもよいものであり、その場合にも同様の作用効果を奏する。
【符号の説明】
【００５０】
１  取水槽
２  海水
３〜７  第１〜第５のＬＮＧ気化器海水ポンプ
８  吐出口
９  軸封部
１０  第１のＬＮＧ気化器
１１  第２のＬＮＧ気化器
１２  第１のＬＮＧ気化器海水ストレーナ
１３  第２のＬＮＧ気化器海水ストレーナ
１４  第１の軸潤滑水ストレーナ
１５  第２の軸潤滑水ストレーナ
１６  海水供給ライン
１７  第１の海水供給本管
１８  第２の海水供給本管
１９〜２３  第１〜第５の海水供給枝管
２４〜２８  第１〜第５の海水供給分岐管
３０  軸潤滑水供給ライン
３１  軸潤滑水供給本管
３２〜３５  軸潤滑水供給枝管
３６  工業用水源
３７  工業用水供給ライン
３８  工業用水供給本管
３９〜４２  工業用水供給枝管
４５  異物除去ライン
４６  異物除去本管
ＡＶ１〜ＡＶ９  第１〜第９の開閉バブル
Ｖ１〜Ｖ２８  第１〜第２８の流量調節バルブ
Ｖ３０  異物清掃バルブ
Ｖ３１  流量調節バルブ
ＦＸ１〜ＦＸ４  第１〜第4の流量計
ＦＸ５  流量計
【図１】
2013024119.tif 000003
【図２】
2013024119.tif 000004